(57)【要約】水道水栓パイプ（１）に取り付けられる本体部（１０）と、本体部（１０）に対して回動可能に取り付けられた浄水部（２０）を本体部（１０）に対して所定角度回動させることにより、浄水部（２０）内に流入した水道水の流路を正方向と逆方向とに切り換え可能な浄水器（Ｓ）において、浄水部（２０）は、濾過材を充填したカートリッジ（４０）と、磁気処理を行う磁気処理部（５０）とを備え、浄水部（２０）内の流路は、浄水部（２０）内に流入した水が、カートリッジ（４０）及び磁気処理部（５０）を通過するように形成され、磁気処理部（５０）は、一対の対向する腕部が連結部によって連結されたヨークと、流路を挟んで腕部の内側に異極を対向させて配置された磁石とを備えている。
2004106245.tif 000002
【特許請求の範囲】
【請求項１】
水の流出部に取付けられ外部への排出口を有する本体部と、該本体部に対して回動可能に取付けられ前記本体部との間に流路が形成された浄水部とを有し、該浄水部を前記本体部に対して所定角度回動させることにより、前記本体部から流入する水の浄水部内での流路を正方向と逆方向とに切換え可能である浄水器において、
前記浄水部は、通過する水を濾過処理する濾過材を充填した濾過処理部と、通過する水を磁気処理する磁気処理部と、を備え、
前記浄水部内の流路は、前記浄水部内に流入した水が前記濾過処理部及び磁気処理部を通過するように形成されたことを特徴とする浄水器。
【請求項２】
前記磁気処理部は、一対の対向する腕部，該腕部を連結する連結部とを有するヨークと、前記浄水部内での流路を挟んで前記腕部の内側面に異極を対向させて配置された一対の磁石と、を備え、
前記磁石の厚みに対する前記磁石が配置された位置における前記腕部の厚みの比が、０．４〜１．０の範囲に設定されたことを特徴とする請求項１に記載の浄水器。
【請求項３】
前記磁気処理部は、一対の対向する腕部，該腕部を連結する連結部とを有するヨークと、前記浄水部内での流路を挟んで前記腕部の内側面に異極を対向させて配置された一対の磁石と、を備え、
前記磁石の厚みに対する前記磁石が配置された位置における前記腕部の厚みの比が、０．６〜１．０の範囲に設定されたことを特徴とする請求項１に記載の浄水器。
【請求項４】
前記磁気処理部の一対の磁石の間の流路は、管状に形成されたことを特徴とする請求項２または３に記載の浄水器。
【請求項５】
前記磁気処理部は、前記浄水部内の流路が正方向のときには前記濾過処理部よりも下流側に位置し、前記浄水部内の流路が逆方向のときには前記濾過処理部よりも上流側に位置するように配設されたことを特徴とする請求項１に記載の浄水器。
【請求項６】
前記磁気処理部は、前記浄水部内の流路が正方向のときには前記濾過処理部よりも上流側に位置し、前記浄水部内の流路が逆方向のときには前記濾過処理部よりも下流側に位置するように配設されたことを特徴とする請求項１に記載の浄水器。
【請求項７】
前記浄水部には、複数の前記磁気処理部が設けられ、
該磁気処理部は、前記浄水部内の流路が正方向及び逆方向のときにおいて、前記濾過処理部の上流側及び下流側に位置するように配設されたことを特徴とする請求項１に記載の浄水器。
【発明の詳細な説明】
【技術分野】  本発明は浄水器に係り、特に水の流出部に直結して使用し、内部を通過する水の濾過処理を行なう浄水部、及び磁気処理を行なう磁気処理部を備えた浄水器に関する。
【背景技術】  水の流出部、例えば水道水栓パイプに直結して使用する浄水器として、水道水栓パイプから流入する水道水が磁気処理される磁気処理部と、磁気処理部を通過した磁化水が濾過処理されるフィルタ部を備えたものが知られている（特開平７−２８４７７６号公報）。
上記浄水器の磁気処理部は、磁性材料を有底円筒状に形成し底部に水道水を通過させるための複数の孔を有するヨークと、ヨーク内中央に配置された円環状の磁石と、を備えて構成されている。ヨークと磁石とはリベットにて結合されている。円環状の磁石は、２つの円形側面がＮ極とＳ極になるように磁化されている。
浄水器に流入した水道水は、まず磁気処理部を通過して磁気処理され、次にフィルタ部を通過して濾過処理が行なわれる。このように浄水器が磁気処理部を備えたことにより、浄水器からは常に磁気処理及び濾過処理された磁化水が得られる。
一方、水道水栓パイプに直結して使用する浄水器として、濾過材が充填された浄水筒を備え、浄水筒内の水道水の流路方向を切換えることができる構造を有するものが知られている（特許第２０２４５５７号）。
上記浄水器は、水道水栓パイプに取付ける略円筒形状の本体部分と、内部を通過する水道水を浄化処理する浄水筒と、本体部分の側面から本体部分内部に嵌入する略円筒形状の弁体と、を備えている。浄水筒には側部から突出して形成された突起部が形成されており、突起部は弁対に一体に固定されている。突出部の内部には弁体と浄化筒とを連通する２つの流路が形成されている。
弁体は、本体部分に流入した水道水を突起部内の第１の流路へ導くための水道水入口ポートと、浄化筒を通過して浄化された水道水を突起部内の第２の流路から水道水出口ポートへ導くための浄化水出口ポートと、を備えている。
そして、一体に固定された弁体，突起部，浄化筒は、本体部分に対して回動可能に取付けられている。浄化筒を所定角度だけ回動させると、本体部分の水道水入口ポートは第２の流路と連通し、浄化水出口ポートは第１の流路と連通する。したがって、浄化筒を本体部分に対して所定角度だけ回動させると、水道水は、浄化筒内を逆流する。
このように上記浄水器は、浄化筒内の水流方向を切換可能に構成されているので、水道水を逆流させることにより浄化筒内の濾過材の目詰まりを排出させることができる。
ところで、水道水は殺菌作用のある塩素を含むが、上記磁気処理部を備えた浄水器のフィルタ部を通過した水道水は塩素が除去される。そして、浄水器を長期間使用しないときには、フィルタ部の下部に塩素のない磁化水が溜まる。このため、仮に雑菌がフィルタ部に発生しフィルタ部内で繁殖した場合には、雑菌を含む水道水が浄水器から排出されるという問題があった。
また、上記磁気処理部を備えた浄水器の磁気処理部は、円盤状の磁石とヨークとの間に形成される磁気通路を水道水が横切って通過することにより、水道水が磁気処理されるが、このとき磁石の磁束が外部に漏れるため、磁束が有効に利用されなかったり、外部機器（例えば、ペースメーカ等）に対して悪影響を及ぼすおそれがあったりするという問題があった。
また、浄水筒内の水道水の流路方向を切換えることができる浄水器は、水道水の流路方向を切換えて濾過材内を逆流させることにより、濾過材への付着物を排出させて目詰まりを低減することにより、濾過材の交換時期を延伸することができる。しかし、交換時期が延伸されても、やはり例えば３ヶ月という短期間で濾過材を交換する必要があり、使用者は交換の手間やランニングコストの負担が掛かるという問題があった。
本発明の目的は、このような問題に鑑み、水の流出部側に直結して使用する浄水器において、浄水器内での雑菌の発生を抑止し、磁気処理部において有効に水道水を磁気処理すると共に、外部への漏れ磁束を防止し、かつ、浄水器の使用を維持する手間が掛からない浄水器を提供することにある。
【発明の開示】
本発明に係る浄水器は、水の流出部に取付けられ外部への排出口を有する本体部と、該本体部に対して回動可能に取付けられ前記本体部との間に流路が形成された浄水部とを有し、該浄水部を前記本体部に対して所定角度回動させることにより、前記本体部から流入する水の浄水部内での流路を正方向と逆方向とに切換え可能である浄水器において、前記浄水部は、通過する水を濾過処理する濾過材を充填した濾過処理部と、通過する水を磁気処理する磁気処理部と、を備え、前記浄水部内の流路は、前記浄水部内に流入した水が前記濾過処理部及び磁気処理部を通過するように形成されることを特徴とする。
このように本発明に係る浄水器は、浄水部内を流れる水の流路の方向を切換え可能であって、さらに浄水部内には濾過材を充填した濾過処理部と、磁気処理を行なう磁気処理部とを備え、浄水部内に流入した水は濾過処理部及び磁気処理部の双方を通過するように構成されている。
このよう構成されているので、本発明の浄水器では、濾過処理及び磁気処理の双方が施された水を得ることができる。
また、長期間浄水器を使用しないときでも、磁気処理部の下流側は磁気処理された磁化水で満たされた状態となっているので、雑菌の内部への侵入及び繁殖を防ぐことができ、濾過処理部が雑菌によって菌汚染されることを防止することが可能となる。
また、前記磁気処理部は、一対の対向する腕部，該腕部を連結する連結部とを有するヨークと、前記浄水部内での流路を挟んで前記腕部の内側面に異極を対向させて配置された一対の磁石と、を備え、前記磁石の厚みに対する前記磁石が配置された位置における前記腕部の厚みの比が、０．４〜１．０の範囲に設定されれば好適である。
このようにヨーク及び磁石の配置が構成されれば、一対の磁石，ヨークの一方の腕部，連結部，他方の腕部により、磁気の閉ループが形成され、磁束がこの閉ループ内に封じ込められ、外部に漏れ難くなる。さらに、磁石が配置された位置におけるヨークの腕部の厚みが、磁石の厚みに対して０．４〜１．０の範囲の厚さに設定されれば、磁束が漏れやすい腕部の外側においても漏れ磁束が効果的に低減される。
これにより、流路を通過する流体に対しては高い磁気処理作用を及ぼすことができると共に、外部機器等に対しては外部への磁束の漏れが低減されているので悪影響を懸念する必要がないので好適である。
また、さらに、前記磁石の厚みに対する前記磁石が配置された位置における前記腕部の厚みの比が、０．６〜１．０の範囲に設定されれば好適である。このように設定することにより、さらに外部への磁気の漏洩を低減することができる。
また、前記磁気処理部の一対の磁石の間の流路が、管状に形成されれば好適である。このように構成することにより、磁気処理部内において水は磁石間を流速を速められて通過するので、磁気処理効率を向上させることができる。
また、前記磁気処理部は、前記浄水部内の流路が正方向のときには前記濾過処理部よりも下流側に位置し、前記浄水部内の流路が逆方向のときには前記濾過処理部よりも上流側に位置するように配設されれば好適である。
このように構成することにより、浄水部内に流入した水は濾過処理部を通過して濾過処理され、さらに濾過処理された水が磁気処理部を通過して磁気処理される。また、流路を切換えることにより、浄水部内に流入した水は磁気処理部を通過して磁気処理され、さらに磁気処理された水が濾過処理部を通過して濾過処理される。
したがって、通常は濾過処理された水に対して磁気処理を施すことにより効果的に磁化処理された磁化水を得ることができる。また、仮に濾過処理部内に雑菌が発生したとしても、磁気処理部によって殺菌処理されるので、使用者は安心して浄水器から排出される水を使用することができる。
また、流路を切換えて使用することにより磁気処理された磁化水が濾過処理部を通過することにより、濾過処理部内への付着物を磁化水の水流により強制的に排出させると共に、磁化水により付着物を溶かし込んで効果的に外部に排出することができる。これにより、濾過処理部の濾過能力の低下を防止することが可能となり、濾過材の交換時期を延伸することが可能となる。
また、前記磁気処理部は、前記浄水部内の流路が正方向のときには前記濾過処理部よりも上流側に位置し、前記浄水部内の流路が逆方向のときには前記濾過処理部よりも下流側に位置するように配設されれば好適である。
このように構成することにより、濾過処理部には磁気処理部で殺菌処理された水が通過するので、濾過処理部内に雑菌が発生することを抑止することができる。
また、前記浄水部には、複数の前記磁気処理部が設けられ、該磁気処理部は、前記浄水部内の流路が正方向及び逆方向のときにおいて、前記濾過処理部の上流側及び下流側に位置するように配設されれば好適である。
このように構成すれば、正方向及び逆方向のいずれにおいても磁気処理された磁化水は濾過処理部を通過し、かつ、濾過処理部を通過した水は磁気処理部を通過して磁気処理と共に殺菌処理される。これにより、濾過処理部内での雑菌の発生を抑止することができるので、使用者は安心して浄水器から排出される水を使用することができると共に、濾過処理部へ付着物が付着することを防止することができるので、濾過材の交換時期を延伸することが可能となる。
【図面の簡単な説明】  図１はこの発明の実施例を示す斜視図、図２は本発明の浄水器の断面図、図３は弁体の側面図、図４は磁気処理部の断面説明図、図５は磁気処理装置の正面説明図、図６は磁石のヒステリシス曲線を表す図、図７は磁石の磁気性能の試験結果を示す図、図８は図１の浄化部を回動させた状態を示す斜視図、図９はヨーク厚と磁石厚の比に対するヨーク外面における磁束密度の関係を表わす図、図１０は図９の部分拡大図である。図１１は他の実施例を示す断面図、図１２は他の実施例に係る弁体の側面図、図１３及び図１４は他の実施例を示す断面説明図である。
【発明を実施するための最良の形態】  以下、この発明の実施例を説明する。図１および図２はこの発明の実施例を示す。この浄水器Ｓは水の流出部としての水道水栓パイプ１に直結される本体部１０と、本体部１０に対して回動可能に連結された浄水部２０とを備えている。本例では水の流出部として水道水栓パイプ１を例に挙げているが、これに限らず、ホース、水タンクの排水口等を含むものである。
本体部１０は、合成樹脂製の円筒形状のケーシング１１，ケーシング１１の上下にそれぞれ取着される取付カバー１２，シャワーヘッド１５等を備えて構成されている。ケーシング１１の外周面には、軸方向に対して略垂直な方向に弁体３０が挿入される挿入孔１１ｄが形成されている。
また、ケーシング１１は水道水入口ポート１１ａ、水道水出口ポート１１ｂおよび浄化水出口ポート１１ｃを有し、水道水入口ポート１１ａはケーシング１１の上壁中央部から挿入孔１１ｄに向けて貫通しており、浄化水出口ポート１１ｃはケーシング１１の下壁中央部から挿入孔１１ｄに向けて貫通している。また、水道水出口ポート１１ｂは、弁体３０の同一の軸方向位置において、浄化水出口ポート１１ｃの両側２箇所に形成されている。
取付カバー１２は水道水栓パイプ１のまわりにおいてケーシング１１のねじ溝にねじ合わされて固定されている。取付カバー１２と水道水栓パイプ１との間には分割リング１３が配設され、取付カバー１２および分割リング１３によってケーシング１１と水道水栓パイプ１が取り付けられ、接続されている。そして、水道水入口ポート１１ａが水道水栓パイプ１の先端に連通し、ゴムパッキン１４によってシールされている。
シャワーヘッド１５はケーシング１１のねじ溝にねじ合わされて固定されているシャワーヘッド１５には排出口としての多数の小孔１５ａが形成されており、小孔１５ａは水道水出口ポート１１ｂと連通している。さらに、シャワーヘッド１５には排出口としての中央孔１５ｂが形成されており、この中央孔１５ｂが浄化水出口ポート１１ｃと連通している。
浄水部２０は、合成樹脂製の中空円筒形状の上下の収容ケース２１，２２と、収容ケース２２から軸方向に略垂直に突設された突起部２４と、突起部２４の先端部を覆うようにして配設されボルト２５にて突起部２４と一体に固定された弁体３０と、収容ケース３１に配置された濾過処理部としてのカートリッジ４０及び磁気処理部５０とを備えている。
突起部２４は、その長さ方向に沿って内部に２本の流路２４ａ，２４ｂが形成されている。流路２４ａ，２４ｂはそれぞれ収容ケース２１の内部流路２１ａ，収容ケース２２の内部流路２２ａに連通している。そして、内部流路２１ａはカートリッジ４０の入口４０ａに連通し、内部流路２２ａは磁気処理部５０の出口５０ｂに連通している。
弁体３０は円筒形状に形成されており、弁体３０の一端側から軸方向に沿って収容孔３０ａが形成されている。そして、この収容孔３０ａに突起部２４が挿入され、ボルト２５によって弁体３０と突起部２４が固定されている。このように収容ケース２２と弁体３０は一体化されている。
そして、円筒状の弁体３０がケーシング１１の挿入孔１１ｄに挿入され、回転可能に案内されている。さらに、袋ナット１６がケーシング１１のねじ溝にねじ合わされ、袋ナット１６によってケーシング１１と弁体３０が組み付けられている。
弁体３０は第１、第２および第３流路３１，３２，３３を有する。第１流路３１は弁体３０の内部に形成された軸方向孔および径方向孔からなり、内部に形成された軸方向孔は図１の状態では、突起部２４の流路２４ａに連通している。したがって、第１流路３１は、カートリッジ４０の入口４０ａに連通している。第２流路３２も弁体３０の内部に形成された軸方向孔および径方向孔からなり、内部に形成された軸方向孔は図１の状態では、突起部２４の流路２４ｂに連通している。したがって、第２流路３２は、磁気処理部５０の出口５０ｂに連通している。
そして、ケーシング１１の水道水入口ポート１１ａおよび浄化水出口ポート１１ｃと対応する軸方向位置において、第１および第２流路３１，３２が略１８０°の角度間隔を置いて弁体３０の外周面に開口している。
一方、図３に示すように、第３流路３３は弁体３０の外周面に形成された軸方向溝および周方向溝からなり、ケーシング１１の水道水出口ポート１１ｂに常時連通している。本実施例では、水道水出口ポート１１ｂと対応する軸方向位置において、第３流路３３の一対の周方向溝が形成され、これにより第３流路３３は弁体３０の外周面に開口し水道水出口ポート１１ｂに連通している。
さらに、第３流路３３として軸方向溝が外周面に形成され、軸方向溝によって各周方向溝が接続されている。第３流路３３の軸方向溝は第１および第２流路３１，３２が弁体３０の外周面に開口する位置の中間の角度位置に１箇所又は２箇所に設けられている。
したがって、水道水入口ポート１１ａおよび浄化水出口ポート１１ｃと対応する軸方向位置において、第３流路３３の軸方向溝が第１および第２流路３１，３２の開口位置から所定角度間隔を置いて弁体３０の外周面に開口しているものであり、第１および第３流路３１，３３は略９０°の角度間隔を置いて弁体３０の外周面に開口し、第２および第３流路３２，３３も略９０°の角度間隔を置いて弁体３０の外周面に開口する。
また、本実施例では、第１および第２流路３１，３２の開口位置のまわりにおいて、弁体３０の外周面にＯリング３４ａが設けられ、Ｏリング３４ａによって第１および第２流路３１，３２と第３流路３３間がシールされている。さらに、収容ケース２１の突起部２４と弁体３０間にＯリング３４ｃが挟まれ、Ｏリング３４ｃによって第１および第２流路３１，３２間がシールされている。この他、弁体３０および浄化部２０にＯリング３４ｄ，３４ｅが設けられており、Ｏリング３４ｄ，３４ｅによって洩れが防止される。
さらに、弁体３０とケーシング１１間にボール３５およびスプリング３６が設けられ、複数のくぼみ１１ｅが略９０°の角度間隔を置いてケーシング１１の挿入孔１１ｄの底面に形成されており、スプリング３６によってボール３５が弾性付勢され、これがケーシング１１のくぼみ１１ｅに嵌め込まれている。
したがって、弁体３０が略９０°の角度だけ回転する毎に、そのボール３５が各くぼみ１１ｅに嵌め込まれ、これによって使用者は弁体３０の回転角度を確認することができる。
カートリッジ４０は円筒形状の多段式のフィルタを備えたものであって、交換可能である。前記フィルタには、活性炭、セラミック、中空糸などの濾過材が充填されている。なお、図２に示すカートリッジ４０は、環状のフィルタの外周部（入口４０ａ）からフィルタ内部に水道水が進入し、フィルタの内側に配設された筒状の通路に至る流路を有している。なお、カートリッジ４０の構成は上記構成に限らず、上下端部を水道水の入口及び出口とする構成としてもよい。
図４に示すように磁気処理部５０は、合成樹脂製のケース５１と、ケース５１内に異極を対向させて配設された２つの磁石（ネオジウムフェライトボロン磁石）５２と、磁石５２を保持する鉄鋼製（ＳＳ４００）のヨーク５４と、２つの矩形状の磁石の間に挟持して配置された非磁性体からなる管状のパイプ５６とを備える。磁気処理部５０は収容ケース２２内に挿入して配置され、カートリッジ４０は磁気処理部５０の上に重ねられるようにして配置され、これらはさらに収容ケース２１，２２を組み付けることにより内部に固定して収容されている。
本実施例の浄水器Ｓは、このように構成されているので、浄水部２０を弁体３０の軸芯のまわりに回転させると、収容ケース２１によって弁体３０が駆動され、弁体３０がケーシング１１の内周面に沿って回転する。そして、浄水部２０，弁体３０を図１および図２の角度位置まで回転させると、弁体３０のボール３５がケーシング１１のくぼみ１１ｅに嵌め込まれ、弁体３０の同一の軸方向位置において、その第１流路３１がケーシング１１の水道水入口ポート１１ａに合致して連通し、第２流路３２がケーシング１１の浄化水出口ポート１１ｃに合致して連通する。
したがって、浄水部２０内の流路が図２のように正方向のときには、水道水栓パイプ１からの水道水は水道水入口ポート１１ａ，第１流路３１，流路２４ａ通り、収容ケース２１の内部流路２１ａに導かれ、カートリッジ４０の入口４０ａに入る。そして、カートリッジ４０内の流路に流入した水道水はフィルタによって濾過処理された後、磁気処理部５０に流入する。
磁気処理部５０に流入した浄化水は磁気処理部５０内の流路を通過して磁気処理された後、磁気処理部５０の出口５０ｂから排出される。磁気処理部５０から排出された磁化水は内部流路２２ａを通って、流路２４ｂ，第２流路３２を介して浄化水出口ポート１１ｃに導かれ、シャワーヘッド１５の中央孔１５ｂから排出される。
このように、浄水器Ｓでは、水道水はまずカートリッジ４０を通過することにより不要な成分が取り除かれ、この浄化水が磁気処理部５０を通過することにより水分子の集合体（クラスター）に効果的に磁気処理作用を及ぼし、クラスターが分解され細分化された磁化水を得ることができる。
さらに、図８に示すように、浄水部２０を図１の角度位置から略９０°の角度だけ回転させ、横倒しの状態にすると、弁体３０も図１の角度位置から９０°の角度だけ回転する。このとき、弁体３０のボール３５がケーシング１１のくぼみ１１ｅに嵌め込まれ、弁体３０の第３流路３３がケーシング１１の水道水入口ポート１１ａに合致し連通する。
したがって、この状態では水道水栓パイプ１からの水道水は水道水入口ポート１１ａおよび第３流路３３を通り、ケーシング１１の水道水出口ポート１１ｂに導かれ、シャワーヘッド１５の小孔１５ａから排出される。つまり、この状態では水道水栓パイプ１からの水道水を浄水部２０に通さず、そのまま排出することができる。
また、図８の状態からさらに浄水部２０を略９０°の角度だけ回転させ、図１の角度位置から略１８０°の角度にわたって回転させると浄水部２０は完全に転倒する。このとき、弁体３０のボール３５がケーシング１１のくぼみ１１ｅに嵌め込まれ、図２の角度位置と反対に、弁体３０の第２流路３２がケーシング１１の水道水入口ポート１１ａに連通し、第１流路３１がケーシング１１の浄化水出口ポート１１ｃに連通する。
したがって、このように浄水部２０内の流路が逆方向のときには、水道水栓パイプ１からの水道水が水道水入口ポート１１ａ，第２流路３２，流路２４ｂを通り、収容ケース２２の内部流路２２ａに導かれ、出口５０ｂから磁気処理部５０内の流路に入り磁気処理され、さらにカートリッジ４０内の流路を通過して濾過処理された後、入口４０ａから排出される。さらに、その水道水が収容ケース２１の内部流路２１ａを通り、流路２４ａ，第１流路３１を介して浄化水出口ポート１１ｃに導かれ、シャワーヘッド１５の中央孔１５ｂから排出される。
このように、本実施例の浄水器Ｓは浄水部２０を反転させることにより、水道水栓パイプ１からの水道水を浄水部２０内で逆流させることができる。したがって、水道水のごみ、鉄錆または水藻によって浄水部２０内が汚れたとき、水道水栓パイプ１からの水道水を浄水部２０内で逆流させ、その逆流した水道水によって水道水のごみ、鉄錆または水藻等を排出させ浄水部２０を洗浄することができる。
したがって、浄水器Ｓでは、浄水部２０を回転させることにより弁体３０を同時に回転させ、弁体３０によって水道水の流路を切り換えることができ、カートリッジ４０の濾過材によって水道水を浄化することができる。また、水道水栓パイプ１からの水道水を浄水部２０に通さず、そのまま排出することもできる。さらに、水道水を浄水部２０内に逆流させ、これによって浄水部２０を洗浄することもできる。
次に、本実施例の磁気処理部５０について詳細に説明する。従来の磁気処理装置を備えた浄水器では、磁石の磁気を有効に磁気処理に活用する構成及び外部へ磁気を漏らさない構成となっていないが、本実施例の浄水器Ｓでは、以下のように磁石５２及びヨーク５４等を構成によりこれらを実現している。
図４に磁気処理部５０の縦断面図、図５に正面図を示す。これらに示すように磁気処理部５０のヨーク５４は、矩形状の磁石５２が内側面に取付けられる２つの対向する腕部５４ａ，５４ａと、これらを連結する連結部５４ｂと、腕部５４ａの内側に設けられそれぞれの磁石５２を挟み込むように形成された４つの段部５４ｃとを備えている。
そして、同一形状の矩形状の磁石５２は、それぞれの腕部５４ａにおいて段部５４ｃの間に配置される。このとき、２つの磁石５２の対向する面が正対するようになっている。また、磁石５２とヨーク５４とは同じ高さに形成されている。本例の場合は、高さを１０ｍｍとしている。
本実施例の磁石５２は、材質がＮｄＦｅＢ（ネオジウムフェライトボロン）であって、その特性は残留磁束密度Ｂｒが１．３４４Ｔ、保持力Ｈｃｂが１００８ｋＡ／ｍ、保持力Ｈｃｊが１０２４ｋＡ／ｍ、最大エネルギー積ＢＨｍが３４３ｋＪ／ｍ３、Ｈｋが１０１９ｋＡ／ｍ、Ｈｋ／Ｈｃｊが０．９９６、Ｂｄが０．６６６Ｔ、Ｈｄが５１６ｋＡ／ｍである。図６にヒステリシス曲線を示す。また、図７には磁石５２に使用する磁石の試験片について、その表面磁束密度を測定した試験結果を示す。図７から分かるように、複数の試験片の表面磁束密度はＮ極，Ｓ極とも０．４６〜０．４８Ｔ程度である。
図５に磁気の流れを矢印で示す。左側の磁石５２のＮ極から発生する磁界は、パイプ５６を横切って右側の磁石５２のＳ極に達し、さらにこの磁石５２のＮ極から右側の腕部５４ａ，連結部５４ｂを通って左側の腕部５４ａに達し、左側の磁石５２のＳ極に到達する。このように、本実施例の浄水器Ｓでは磁気の閉ループを形成することにより、外部に磁気を漏らさないような構成としている。
また、磁石５２の厚みＸは４ｍｍ、幅は約８ｍｍに設定されており、磁石５２が腕部５４ａ内に配置されると、対向する磁石５２は７ｍｍ程度離間する。また、ヨーク５４において、磁石５２の外側に位置するの各腕部５４ａの厚みＹは、３．４ｍｍに設定されている。
この２つの磁石５２の間にパイプ５６を配設している。磁界中を横切る水道水の流速が大きい程、磁気処理の効率は高まる。本実施例の浄水器Ｓでは、浄水部２０内に入った水道水を直径７ｍｍ程度のパイプ５６内を通過させることにより流速を速めて、水道水が効率よく磁気処理されるように構成されている。また、磁石５２の幅の方がパイプ５６の幅よりも大きく設定されているので、パイプ５６内を通過する水道水はすべて磁気処理を施されるようになっている。
図９は、磁石５２の厚みＸを４ｍｍとし、ヨーク５４の厚みＹを変化させた場合のヨーク５４周辺における磁束密度の変化を示したものである。ここで、厚みＸに対する厚みＹの比を厚み比Ｚとする。横軸は、厚み比Ｚである。
◆はＡ点、■はａ点、▲はｂ点、○はｃ点、×はｄ点における磁束密度の変化である。ここで、図５に示すようにＡ点は正対する磁石５２の中心部、ａ点は磁石５２のＮ極の表面、ｂ点は磁石５２に対応する位置における左側の腕部５４ａの外側表面、ｃ点は連結部５４ｂの外側表面、ｄ点は２つの腕部５２の先端部を繋ぐ面の中央部外側である。
図９から明らかなように、Ａ点における磁束密度は厚み比Ｚが小さいと小さい値をとり、厚み比Ｚが０．８程度のときに最大となり、さらに厚み比Ｚが大きくなると次第に減少するものとなる。Ａ点において厚み比Ｚが０．０の場合は磁束密度が０．２Ｔであるが、厚み比Ｚが０．８程度の場合では磁束密度が０．４５Ｔ程度と略倍増する。
ａ点における磁束密度の変化もＡ点と同様な傾向を有する。しかし、厚み比Ｚが０．０の場合では磁束密度が０．３９５Ｔであるが、厚み比Ｚが０．８程度の場合では磁束密度が０．５３Ｔ程度となり、Ａ点程急激な変化とはならない。
水道水を効率的に磁気処理するという観点からは、磁石５２の表面付近（ａ点）の磁束ではなく、実質的にパイプ５６を通過する水道水を磁気処理する効果が大きい部位である２つの磁石５２の中央部（Ａ点）での磁束が大きくなるように設計することが望ましい。
したがって、Ａ点を基準として厚み比Ｚを適正な値とすることにより、例えば、厚み比Ｚを０．２〜１．２とすれば、Ａ点において０．３Ｔ程度以上の磁束密度を得ることができる。また、厚み比Ｚを０．４〜１．０とすれば、Ａ点において０．３５Ｔ程度以上の磁束密度を得ることができる。また、さらに望ましくは厚み比Ｚを０．６〜１．０とすれば、Ａ点において０．４Ｔ程度以上の磁束密度を得ることができる。
一方、ｂ点、ｃ点、ｄ点における磁束密度は厚み比Ｚが小さいと磁石５２からの漏れ磁束が大きくなるため大きな値となるが、厚み比Ｚが大きくなると急激に減少し、厚み比Ｚが０．８程度で略下げ止まり０．０１〜０．０２Ｔ程度となる。図１０は図９の拡大図である。厚み比Ｚが０．８程度を超えるとｂ点，ｃ点においては磁束密度は略一定値を維持するか、もしくはさらに減少するが、ｄ点ではむしろ増加するものとなる。ｂ点、ｃ点、ｄ点における漏れ磁束の大きさは、厚み比Ｚ０．２程度で比較すると、ｂ点、ｄ点、ｃ点の順に値が小さくなる。厚み比Ｚが０．２程度では、ｂ点においては０．１Ｔを超える大きな漏れ磁束が発生する。
外部への磁束の漏れという観点からは、ｂ点、ｃ点、ｄ点での磁束密度が小さいことが望ましい。したがって、厚み比Ｚを適正な値とすることにより、例えば、厚み比Ｚを０．４〜１．２とすればｂ点、ｃ点、ｄ点において０．０８Ｔ程度以下の磁束密度に抑えることができる。また、望ましくは厚み比Ｚを０．６〜１．０とすればｂ点、ｃ点、ｄ点において０．０５Ｔ程度以下の磁束密度に抑えることができる。さらに厚み比Ｚを０．７〜０．９とすればｂ点、ｃ点、ｄ点において０．０２５Ｔ程度以下の磁束密度に抑えることができる。
以上より、磁気処理効率を向上させ、かつ、外部への漏れ磁束を低減するためには、厚み比Ｚを０．４〜１．０にするとよい。この場合、管体１内の流体に対しては磁束密度は０．３５Ｔ程度以上の磁束を与えることができ、漏れ磁束は０．０８Ｔ程度以下に抑えることができる。
また、望ましくは厚み比Ｚを０．６〜１．０にするとよい。この場合、管体１内の流体に対しては磁束密度は０．４Ｔ程度以上の磁束を与えることができ、漏れ磁束は０．０５Ｔ程度以下に抑えることができる。また、さらに望ましくは厚み比Ｚを０．７〜０．９にするとよい。この場合、管体１内の流体に対しては磁束密度は０．４Ｔ程度以上の磁束を与えることができ、漏れ磁束は０．０２５Ｔ程度以下に抑えることができる。
本実施例の浄水器Ｓでは厚み比Ｚが０．８５（Ｘ＝４、Ｙ＝３．４）に設定されている。そして、本実施例の浄水器Ｓにおいては、Ａ点，ａ点，ｂ点，ｂ′点（右側の腕部５４ａの外側表面），ｃ点での磁束密度の実測値は、それぞれ０．４４５Ｔ，０．５３Ｔ，０．０１６Ｔ，０．０１５Ｔ，０．００６３Ｔとなった。
このように、本実施例の浄水器Ｓは、ヨーク５４の２つの腕部５４ａの内側に磁石５２を正対させて配置し、２つの腕部５４ａを連結部５４ｂによって連結することにより、安定な磁気の閉回路を構成している。そして、腕部５４ａの厚みＹを適正な値に設定することにより、０．４Ｔ程度の磁束密度（Ａ点）を有する磁界を発生させ、この磁界によりパイプ５６内を流速を速められて通過する水道水に対して磁気処理しているので、磁気処理部５０を通過する水道水に効果的に磁気処理作用を及ぼすことができる。
また、外部には磁気を漏らさないように適正に腕部５４ａの厚みＹが設定されているので、ｂ点，ｃ点のようにヨーク５４の表面おいても０．０２５Ｔ以下の漏れ磁束に抑えられている。したがって、浄水器Ｓを使用する使用者と浄水器Ｓとの距離をも考慮すると、殆ど磁気処理部５０から使用者に向けて磁界の影響が及ぶことはないので、使用者は安心して浄水器Ｓを使用することができる。
なお、一般に水道水を磁気処理することによって、水道水中の集団化した水分子構造を分解、細分化することができるので、これにより水の溶解力や浸透力が高められることが知られている。例えば、磁気処理の効果として、炭酸塩（カルシウム、マグネシウム等）やその他の無機物質の溶解力が増大し、また有機化合物の溶解が改善される。
また、水の磁気処理を行うことにより同時に殺菌処理が行われることが実験により明らかとなった。殺菌のメカニズムは明らかではないが推察するに、磁気処理が行われた磁化水は水の分子構造が小さくなるので、細菌の細胞内の萌芽に浸透し、これにより飽和した萌芽が中から破裂してしまうということが想像される。
また、磁気と遠赤外線のエネルギーを受けて水分子同士の水素結合が分断（細分化）されると、ガスや溶存酸素，窒素が弾き出され、水分子の体積収縮現象により細菌類も弾き出されると考えられる。このとき、好気性バクテリア（生命維持に酸素を必要とする腐敗菌，一般細菌，大腸菌等）は酸欠状態に陥り死滅するものと想像される。
また、微生物類は感受性が強く、磁力線や遠赤外線等の電磁波エネルギーが、微生物自体がもつ固有の振動に影響し、生体側の活動に影響を与える。微生物類は体の熱を外に逃がす容量が非常に小さいため、吸収した遠赤外線が熱に変わることで大きな影響を受けると想像される。
本実施例の磁気処理部５０を利用して殺菌効果の試験を行った結果を以下に示す。なお、試験では温泉水を磁気処理し、磁気処理する前後の温泉水５５０ｍｌ中の生菌数、大腸菌反応、レジオネラ菌数を検出した。磁気処理前には、それぞれ３．３×１０００／ｍｌ、陰性、３．０×１０００（５５０ｍｌあたり）であったものが、磁気処理後には、それぞれ０．１１×１０００／ｍｌ、陰性、１０（５５０ｍｌあたり）となった。
また、別の殺菌効果の試験では、溜池の水を循環させて磁気処理を行った。この結果、磁気処理前は大腸菌群の検出値が２．００×１０１０（５０ｍｌあたり）であったものが、磁気処理を開始して６０分経過後には全く検出されなかった。このように、磁気処理には極めて有効な殺菌作用があることが分かった。
浄水器Ｓの浄水部２０が図１の角度位置にあるとき、水道水栓パイプ１からの水道水は収容ケース２１の内部流路２１ａに導かれ、カートリッジ４０の入口４０ａに入る。この水道水は浄化されていない水道水であり殺菌作用を有する塩素を含む。したがって、浄水器Ｓを長期間使用しないときであっても、内部流路２１ａ内にある水道水には雑菌が発生，繁殖することがない。
また、内部流路２２ａから浄化水出口ポート１１ｃに至る流路には、カートリッジ４０を通過し、さらに磁気処理部５０でクラスターが細分化された磁化水によって殺菌処理された水道水で満たされる。したがって、長期間使用しないときであっても、内部流路２２ａから浄化水出口ポート１１ｃに至る流路内での雑菌の繁殖が抑えられる。
また、長期間使用しない場合には、浄水部２０を図１の角度位置から略１８０°の角度にわたって回転させ、完全に転倒させた状態にしておいてもよい。この場合には、内部流路２１ａおよび第１流路３１が浄化水出口ポート１１ｃに連通した状態となる。このとき、収容ケース２１の内部流路２１ａには塩素を含む水道水が留まっており、塩素を含む水道水によって浄化水出口ポート１１ｃからの雑菌の侵入を遮断することができるので、雑菌が浄水部２０内に侵入して繁殖するおそれはない。
また、浄水部２０が転倒した状態では、第２流路３２は水道水入口ポート１１ａに連通し、水道水栓パイプ１に接続される。したがって、水道水栓パイプ１からの水道水によって雑菌が遮断される。
このように、本実施例の浄水器Ｓでは、長期間使用しない状態が続いても、雑菌が浄水部２０で繁殖することを防ぐことができるので、カートリッジ４０が雑菌に汚染されることを防ぐことが可能となる。
また、仮にカートリッジ４０内に雑菌が発生している状態であっても、カートリッジ４０を通過した水道水は、その下流側に位置する磁気処理部５０によって殺菌処理されるので、使用者は安心して浄水器Ｓを通過した水道水を利用することができる。
また、通常のカートリッジ型の浄水器では、３ヶ月程度でカートリッジの交換をすることが望ましい。しかし、本実施例の浄水器Ｓでは、定期的に浄水部２０を反転させて浄水部２０内の水流方向を逆転させることにより、カートリッジ４０の交換時期を６ヶ月程度以上に長くすることができる。
すなわち、浄水部２０を反転させて流路方向を切り換えた状態にすれば、水道水は磁気処理部４０で磁気処理され、磁気処理された磁化水がカートリッジ４０内を通過して浄水部２０の外へ排出される。
したがって、磁気処理され溶解力、浸透力が高められた磁化水がカートリッジ４０内の濾過材中を通過することにより、磁化水は単にカートリッジ４０内の付着物を排出するだけでなく、濾過材への付着物を溶かし込んで効果的に外部へ排出させることができる。これにより、カートリッジ４０に目詰まりが発生しにくくなり、カートリッジ４０の使用期間を延伸することが可能となる。
次に、図１１及び図１２に他の実施例を示す。なお、図１の実施例と同一の部材には同一の符号を付し、重複する説明は省略する。この実施例では、カートリッジ４０，Ｏリングを介してカートリッジ４０の右側に配置された磁気処理部５０，磁気処理部５０の右側に配置され磁気処理部５０に一体に固定された補助部材３７が収容ケース２１内に配置されている。補助部材３７はボルト２５によって弁体３０と固定されているので、カートリッジ４０、磁気処理部５０，補助部材３７及び弁体３０は一体化されている。
また、収容カバー２１がケーシング１１のねじ溝にねじ合わされて固定されており、カートリッジ４０、磁気処理部５０，補助部材３７を含む浄水部２０は、弁体３０の回動に伴い収容カバー４１内で回転することができる。さらに、収容ケース２１と反対側のケーシング１１の側面には、切換レバー６１が取り付けられている。切換レバー６１は弁体３０の先端に嵌め込まれて固定されている。
また、図１１の浄水器Ｓにおいて、ケーシング１１に水道水入口ポート１１ａ、水道水出口ポート１１ｂおよび浄化水出口ポート１１ｃが形成され、弁体３０に第１、第２および第３流路３１，３２，３３が形成され、Ｏリング３４ａによって第１および第２流路３１，３２と第３流路３３間がシールされているのは図２の実施例と同様である。第１流路３１は補助部材３７の径方向流路３７ａに連通し、収容カバー２１の内部流路２１ａに接続され、カートリッジ４０の入口４０ａに連通する。第２流路３２は軸方向流路３７ｂに連通し、磁気処理部５０の出口５０ｂに連通する。
取付カバー１２がケーシング１１のねじ溝にねじ合わされ、取付カバー１２によってケーシング１１と水道水栓パイプ１が取り付けられ接続されるのも図２の実施例と同様である。さらに、この実施例では、ケーシング１１にボール３５およびスプリング３６が設けられ、スプリング３６がスリーブ６３のフランジ６４に係合され、支持され、複数のくぼみ１１ｅが略９０°の角度間隔を置いて弁体３０の外周面に形成されており、スプリング３６によってボール３５が弾性付勢され、これが弁体３０のくぼみ１１ｅに嵌め込まれている。
したがって、弁体３０が略９０°の角度だけ回転する毎に、ケーシング１１のボール３５が各くぼみ１１ｅに嵌め込まれ、これによって弁体３０の回転角度を確認することができる。スリーブ６３は接着材でケーシング１１に接着され、固定されている。さらに、シャワーヘッド１５がケーシング１１にねじ合わされ、シャワーヘッド１５に多数の小孔１５ａが形成されている。
したがって、図１１の浄水器Ｓにおいて、切換えレバー６１によって弁体３０を操作し、回転させると、収容カバー２１内において、カートリッジ４０，磁気処理部５０が弁体３０および切換えレバー６１とともに回転する。そして、切換えレバー６１、弁体３０，カートリッジ４０及び磁気処理部５０を図１１の角度位置まで回転させると、ケーシング１１のボール３５が弁体３０のくぼみ１１ｅに嵌め込まれ、弁体３０の同一の軸方向位置において、その第１流路３１がケーシング１１の水道水入口ポート１１ａに合致して連通し、第２流路３２がケーシング１１の水道水出口ポート１１ｃに合致して連通する。このとき浄水器Ｓ内の流路は正方向となる。
したがって、水道水栓パイプ１からの水道水が水道水入口ポート１１ａ，第１流路３１，補助部材３７の径方向流路５４を通り、収容カバー２１の内部流路２１ａに導かれ、カートリッジ４０の入口４０ａに入り、カートリッジ４０内を通過して濾過処理が行なわれ、さらに磁気処理部５０内を通過して磁気処理が行なわれた後、磁気処理部５０の出口５０ｂから排出される。そして、磁気処理部５０で磁気処理された磁化水は、第２流路３２および浄化水出口ポート１１ｃに導かれて排出される。
また、切換えレバー６１，弁体３０，カートリッジ４０及び磁気処理部５０を図１１の角度位置から９０°の角度だけ回転させると、ケーシング１１のボール３５が弁体３０のくぼみ１１ｅに嵌め込まれ、弁体３０の第３流路３３がケーシング１１の水道水入口ポート１１ａに合致して連通する。したがって、水道水栓パイプ１からの水道水が水道水入口ポート１１ａおよび第３流路３３を通り、ケーシング１１の水道水出口ポート１１ｂに導かれ、排出される。
さらに、切換えレバー６１，弁体３０，カートリッジ４０及び磁気処理部５０を再度９０°の角度だけ回転させ、図１１の角度位置から略１８０°の角度にわたって回転させると、ケーシング１１のボール３５が弁体３０のくぼみ１１ｅに嵌め込まれ、弁体３０の第２流路３２がケーシング１１の水道水入口ポート１１ａに連通し、第１流路３１がケーシング１１の浄化水出口ポート１１ｃに連通する。このとき、浄水器Ｓの流路は逆方向となる。
したがって、水道水栓パイプ１からの水道水が水道水入口ポート１１ａおよび第２流路３２を通り、磁気処理部５０の出口５０ｂに入り、磁気処理部５０を通過し、さらにカートリッジ４０内を通過して、カートリッジ４０の入口４０ａから排出される。すなわち、図１１の状態とはカートリッジ４０及び磁気処理部５０を流れる水道水の流路が反転する。
さらに、その水道水が収容カバー２１の内部流路２１ａを通り、補助部材３７の径方向流路３７ａを通り、第１流路３１および浄化水出口ポート１１ｃに導かれ、排出される。したがって、水道水のごみ、鉄錆または水藻によってカートリッジ４０内が汚れたとき、水道水栓パイプの水道水を浄水筒３８内に逆流させ、その逆流する水道水によってカートリッジ４０を洗浄することができる。
また、図１で示した浄水器Ｓと同様に、図１１の浄水器Ｓでも、長期間使用しないで図１１の角度位置に放置していた場合には、塩素を含む水道水が径方向流路３７ａおよび内部流路２１ａに留まっているので、雑菌が繁殖することはない。また、浄化水出口ポート１１ｃから第２流路３２に至る流路内は、磁化水で満たされるので、雑菌の繁殖を防ぐことができる。また、仮にカートリッジ４０内に雑菌が発生していたとしても、カートリッジ４０を通過した水道水は磁気処理部５０によって殺菌処理されるので、使用者は安心して浄水器Ｓを使用することができる。
また、長期間使用しない場合には、切換えレバー６１，弁体３０，カートリッジ４０および磁気処理部５０を図１１の角度位置から略１８０°の角度にわたって回転させた状態に放置しておいてもよい。
この場合には、補助部材３７および収容カバー２１内において、塩素を含む水道水が径方向流路３７ａおよび内部流路２１ａに留まり、雑菌が浄化水出口ポート１１ｃから侵入しても、水道水の塩素によって雑菌が遮断され、雑菌は浄水部２０内に侵入しない。
なお、上記実施例では、通常の使用状態である図１及び図１１の状態において、カートリッジ４０が磁気処理部５０の上流側に位置する。しかし、これに限らず、図１３に示すように浄水器Ｓの通常の使用状態において磁気処理部５０がカートリッジ４０の上流側に位置するように構成してもよい。
このように構成すれば、浄水器Ｓ内の流路が正方向のとき、水道水はまず浄水部２０内において磁気処理部５０を通過し、水道水には磁気処理と共に殺菌処理が行なわれる。したがって、通常の使用状態において殺菌処理された水道水がカートリッジ４０を通過するので、カートリッジ４０には雑菌が繁殖するおそれが低減される。また、浄水器Ｓ内の流路が逆方向のときは、カートリッジ４０内への付着物が強制的に排出される。
したがって、浄水器Ｓを図１３のように構成しても、効果的に磁気処理、殺菌処理及び濾過処理された水道水を得ることができ、また、カートリッジ４０の菌汚染を防ぐことができる。
また、図１４に示すように浄水器Ｓの通常の使用状態において磁気処理部５０がカートリッジ４０の上流側及び下流側に位置するように構成してもよい。このように構成すれば、よりカートリッジ４０内の雑菌の繁殖を防ぐことができると共に、カートリッジ４０の使用期間を延伸することができる。さらに、水道水は磁気処理部５０を複数回、通過するのでより磁気処理効率が向上される。
産業上の利用性
以上のように、本発明の浄水器によれば、内部に磁気処理部を備え、磁気処理部ではヨークの２つの腕部の内側に磁石を正対させて配置し、２つの腕部を連結部によって連結することにより、磁気の閉回路を構成している。そして、腕部の厚みを磁石の厚みに対して適正な値に設定することにより、磁気の閉回路から漏れ出る漏れ磁束を低減し、２つの磁石の間を通過する水流に対して効率的に磁気処理作用を及ぼすことができる。
これにより、使用者は、高い磁気処理作用によって磁化された磁化水を利用することができると共に、漏れ磁束による外部機器への悪影響を心配することなく安心して本発明の浄水器を使用することができる。
また、本発明の浄水器では、長期間使用しない場合であっても、磁気処理部によって殺菌処理された磁化水が磁気処理部の下流側に溜まっているので雑菌が繁殖しにくくなっており、カートリッジの菌汚染を防止することができる。また、仮にカートリッジに雑菌が発生してしまった場合でも、磁気処理部によって殺菌処理されるので使用者は安心して本発明の浄水器を使用することができる。
また、本発明の浄水器では、通常は浄水部内に入った水道水はまず濾過処理用のカートリッジ内を通過してから、磁気処理部を通過して浄水部外へ排出される。しかし、浄水部を反転させると、浄水部内に入った水道水は磁気処理部を通過してから、濾過処理用のカートリッジ内を通過して浄水部外へ排出させるようにすることができる。
このように浄水部を反転させることにより、磁気処理部で磁気処理された磁化水を、濾過材を有するカートリッジに流入させることができる。これにより、本発明の浄水器は、浄水部における流路方向を切換え可能な従来の浄水器と同様に、濾過材を有するカートリッジに水道水を逆流させることによって、カートリッジ内の目詰まりを防止する効果を有する。
さらに、本発明の浄水器は流路方向を切換えることにより磁気処理部を通過後の磁化水によってカートリッジ内の汚れ等を効果的に溶かし込んで外部に排出させることができる。これにより、浄水部のカートリッジの交換時期を延伸させることが可能となり、浄水器の使用を維持する手間が掛からない。
また、通常の使用状態で磁気処理部がカートリッジの上流側に配置されるように構成することにより、カートリッジには殺菌処理された水道水が流入するので、カートリッジ内の雑菌の発生を抑止することができる。
また、カートリッジの上流側及び下流側に磁気処理部が配置される構成とすることにより、カートリッジ内の雑菌の発生を抑止することができると共に、カートリッジの使用期間をより延伸させることができる。
以上のように、本発明によれば、浄水器内での雑菌の発生を抑止し、磁気処理部において有効に水道水を磁気処理すると共に、外部への漏れ磁束を防止し、かつ、浄水器の使用を維持する手間が掛からない浄水器を提供することができる。
【図１】
2004106245.tif 000003
【図２】
2004106245.tif 000004
【図３】
2004106245.tif 000005
【図４】
2004106245.tif 000006
【図５】
2004106245.tif 000007
【図６】
2004106245.tif 000008
【図７】
2004106245.tif 000009
【図８】
2004106245.tif 000010
【図９】
2004106245.tif 000011
【図１０】
2004106245.tif 000012
【図１１】
2004106245.tif 000013
【図１２】
2004106245.tif 000014
【図１３】
2004106245.tif 000015
【図１４】
2004106245.tif 000016
【国際調査報告】
2004106245.tif 000017
2004106245.tif 000018
2004106245.tif 000019
2004106245.tif 000020